(57)【要約】      （修正有）【課題】  建物の出入口、部屋の出入口、及び保管棚に備えた、それぞれのリーダライタから読み取られたＩＤコードの論理性をチェックすることにより、保管棚の施開錠の制御と物品持ち出しを管理する物品管理システムを提供する。【解決手段】  この物品管理システム３００は、機密書類を保管する保管棚４０と、個人認証情報が記録されたＩＤカードに対して個人認証情報の読み書きを行う保管棚リーダライタ３８と、この保管棚リーダライタ３８を制御するパーソナルコンピュータ３９と、開錠または施錠を指示するサーバ装置４１と、部屋４２の出入口に備えられ、ＩＤカードの読み書きを行う入口リーダライタ３５と、出口リーダライタ３７と、建造物の出入口に備えられＩＤカードの読み書きを行う建物入口リーダライタ３２と、建物出口リーダライタ３３と、各リーダライタ、保管棚４０、及びサーバ装置４１とを接続するＬＡＮ３０と、を備えて構成される。【選択図】  図３
2005301331.tif 000002
【特許請求の範囲】
【請求項１】
物品を管理する物品管理システムであって、
前記物品を保管する保管棚と、該保管棚に保管された物品の利用を許可された者が所持し該許可された者に関する個人認証情報が記録されたＩＤカードと、該ＩＤカードに対して前記個人認証情報の読み書きを行う保管棚リーダライタと、該保管棚リーダライタを制御する制御装置と、少なくとも前記保管棚を設置する場所の入口に備えられ前記ＩＤカードに対して前記個人認証情報の読み書きを行う入口リーダライタと、少なくとも前記保管棚を設置する場所の出口に備えられ前記ＩＤカードに対して前記個人認証情報の読み書きを行う出口リーダライタと、少なくとも前記保管棚を設置する場所を含む建造物の入口に備えられ前記ＩＤカードに対して前記個人認証情報の読み書きを行う建物入口リーダライタと、少なくとも前記保管棚を設置する場所を含む建造物の出口に備えられ前記ＩＤカードに対して前記個人認証情報の読み書きを行う建物出口リーダライタと、前記制御装置に対して前記保管棚の扉に備えられた施開錠手段に対する開錠または施錠を指示するサーバ装置と、を備えたことを特徴とする物品管理システム。
【請求項２】
前記サーバ装置は、前記建物入口リーダライタ、入口リーダライタ、及び保管棚リーダライタにより前記ＩＤカードから読み取られた夫々の保管棚利用希望者に関する個人認証情報を入場ＩＤ領域、入室ＩＤ領域、及び棚ＩＤ領域として記憶する記憶領域を有する個人認証情報格納手段を備え、前記入場ＩＤ領域、入室ＩＤ領域、及び棚ＩＤ領域に格納された個人認証情報の論理性が所定の条件を満足していた場合、前記制御装置に対して前記施開錠手段を開錠するように指示することを特徴とする請求項１に記載の物品管理システム。
【請求項３】
前記施開錠手段を開錠する所定の条件とは、前記建物入口リーダライタ、及び入口リーダライタにより読み取られたＩＤカード上の個人認証情報が既に前記入場ＩＤ領域、及び入室ＩＤ領域に記録され、且つ前記保管棚リーダライタにより読み取られた個人認証情報と、前記入場ＩＤ領域、及び入室ＩＤ領域に記録された個人認証情報とが全て一致する場合であることを特徴とする請求項２に記載の物品管理システム。
【請求項４】
前記サーバ装置は、前記同一人に係るＩＤカード上の個人認証情報が前記建物入口リーダライタ、入口リーダライタ、及び保管棚リーダライタにより読み取られた場合、当該個人認証情報を前記入場ＩＤ領域、入室ＩＤ領域、及び棚ＩＤ領域にそれぞれ記録し、当該個人認証情報が前記建物出口リーダライタにより読み取られた場合、当該個人認証情報が前記出口リーダライタにより読み取られた場合、及び前記保管棚に備えられた施開錠手段が施錠された場合、当該個人認証情報を前記入場ＩＤ領域、入室ＩＤ領域、及び棚ＩＤ領域から消去することを特徴とする請求項１又は２に記載の物品管理システム。
【請求項５】
前記サーバ装置は、ＩＤカードに記録された前記個人認証情報が前記出口リーダライタにより読み取られた場合、前記棚ＩＤ領域に記録されていた個人認証情報をチェックし、該チェックの結果、前記棚ＩＤ領域に記録されていた個人認証情報が消去されていない場合、前記保管棚に物品が返却されない状態のまま退室しようとしたものと判断して前記制御装置に対して警告音を発するように指示することを特徴とする請求項１に記載の物品管理システム。
【請求項６】
前記サーバ装置は、前記入場ＩＤ領域、入室ＩＤ領域、及び棚ＩＤ領域に格納された個人認証情報の論理性が所定の条件を満足していない場合、前記制御装置に対して警告音を発するように指示することを特徴とする請求項１又は２に記載の物品管理システム。
【請求項７】
前記ＩＤカードは、前記建物入口リーダライタ、入口リーダライタ、及び保管棚リーダライタにより読み取られた夫々の保管棚利用希望者に関する個人認証情報を入場ＩＤ領域、入室ＩＤ領域、及び棚ＩＤ領域として記憶する記憶領域を更に備え、前記制御装置は前記記憶領域に格納された個人認証情報の論理性が所定の条件を満足していたと判断した場合、前記施開錠手段を開錠することを特徴とする請求項１に記載の物品管理システム。
【発明の詳細な説明】
【技術分野】
【０００１】
本発明は、物品管理システムに関し、さらに詳しくは、セキュリティ性の高い物品、あるいは重要な物品を保管する保管棚の管理方法に関するものである。
【背景技術】
【０００２】
従来から、政府機関、会社等が所有する機密書類を管理する場合、建物内に設けられた部屋の出入口に扉を設け、許可された者だけが所持するＩＤカードをその入口に備えられたリーダライタに近接することによりＩＤの認証をリアルタイムに行って扉の開閉を行っていた。そして入室した者は必要な機密書類を保管棚等から取り出して閲覧し、元の場所に戻して再びＩＤカードをその出口に備えられたリーダライタに近接して退室していた。即ち、ＩＤカードを所持する者に限って部屋の入出が許可されるシステムが構築されていた。
また、宝石店、貴金属店等の高価な物品を取り扱う販売施設では、高価な物品を展示するショウウィンドや、保管庫は常時施錠され、必要な時に鍵を所持する特定の店員により開錠してショウウィンド或いは保管庫内の物品を取り出す手順が採られている。
また、小売店等の販売施設における商品の盗難に対しては、警備員を巡回させたり、客になりすました専任の警備員を店内に配置して窃盗犯に対して個別に対処していた。また、店内にビデオカメラを配置して盗難を監視するといった方法もとられていた。
また従来技術として特開２００３−１４１６５０公報には、盗難防止機能付き物品識別標識とその物品識別標識を使用した物品管理システムについて開示されており、物品に取り付けられ物品に関する情報を含む物品識別標識において、物品の移動を監視するための盗難防止タグ部分と、物品の個別識別を行うために無線通信により情報の読み出し及び書き込みが可能なＲＦタグ部分とから成ることを特徴とする物品識別標識について開示されている。
【特許文献１】特開２００３−１４１６５０公報
【発明の開示】
【発明が解決しようとする課題】
【０００３】
しかしながら、従来のＩＤカードによる入退室の許可方法は、ＩＤカードを所持すれば部屋に入室することが可能であるため、正規の入室資格を備えた者が機密書類等を不正に使用する意図で取り出すことが可能であり、セキュリティの点で大きな問題があった。またＩＤカードを紛失したり或いは他人に盗まれたことに気が付かなかった場合、不正にそのＩＤカードを使用されて機密書類等を持ち出される危険性があった。即ち、ＩＤカードの所持者が正規の所有者であるか否かに関わらず、ＩＤカードを所持していれば必ず部屋に入室できる点に盲点があった。
また宝石店等の高価な物品を取り扱う販売施設の場合、ショウウィンド或いは保管庫には常時施錠しなければならず、取り扱いが煩雑で手間がかかるといった問題がある。
また、特許文献１に開示されている従来技術は、物品に盗難防止タグとＲＦタグを取り付け、盗難防止タグにオンオフ情報を保持し、レジを通過しない未精算の場合には、万引き犯は、その情報がオンのままの物品を保持して店外に出ることになるので、出口に設けた検知手段によってこれを検知することにより、盗難を防止するものである。しかし、金属ケースに物品を収容して持ち出した場合は、検知手段が働かない場合があり、必ずしも最良の方法とはいえない。
本発明は、かかる課題に鑑み、建物の出入口、部屋の出入口、及び保管棚にそれぞれリーダライタを備え、それぞれのリーダライタから読み取られたＩＤコードの論理性をチェックすることにより、保管棚の施開錠の制御と保管棚に収納されている物品持ち出しを管理する物品管理システムを提供することを目的とする。
【課題を解決するための手段】
【０００４】
本発明はかかる課題を解決するために、請求項１は、物品を管理する物品管理システムであって、前記物品を保管する保管棚と、該保管棚に保管された物品の利用を許可された者が所持し該許可された者に関する個人認証情報が記録されたＩＤカードと、該ＩＤカードに対して前記個人認証情報の読み書きを行う保管棚リーダライタと、該保管棚リーダライタを制御する制御装置と、少なくとも前記保管棚を設置する場所の入口に備えられ前記ＩＤカードに対して前記個人認証情報の読み書きを行う入口リーダライタと、少なくとも前記保管棚を設置する場所の出口に備えられ前記ＩＤカードに対して前記個人認証情報の読み書きを行う出口リーダライタと、少なくとも前記保管棚を設置する場所を含む建造物の入口に備えられ前記ＩＤカードに対して前記個人認証情報の読み書きを行う建物入口リーダライタと、少なくとも前記保管棚を設置する場所を含む建造物の出口に備えられ前記ＩＤカードに対して前記個人認証情報の読み書きを行う建物出口リーダライタと、前記制御装置に対して前記保管棚の扉に備えられた施開錠手段に対する開錠または施錠を指示するサーバ装置と、を備えたことを特徴とする。
本発明の特徴は、建物の出入口、部屋の出入口、及び保管棚にそれぞれリーダライタを備え、それぞれのリーダライタから読み取られたＩＤコードをサーバ装置が記録することにより、記録したＩＤコードに基づいて保管棚の施開錠の制御と保管棚に収納されている物品持ち出しの管理を行うものである。尚、建造物の入口と出口が兼用の場合は、リーダライタを１つ備え、最初にＩＤコードが読み取られた場合は入場したと判断し、２度目に同じＩＤコードが読み取られた場合は退場したと判断することにより可能である。
かかる発明によれば、建物の出入口、保管棚を設置する場所の出入口、及び保管棚にそれぞれリーダライタを備え、更に物品を保管する保管棚と、保管棚リーダライタを制御する制御装置と、制御装置に対して保管棚の扉に備えられた施開錠手段に対する開錠または施錠を指示するサーバ装置と、を備えたので、それぞれのリーダライタから読み取られたＩＤコードをサーバ装置が記録することにより、記録したＩＤサーバに基づいて保管棚の施開錠の制御と保管棚に収納されている物品持ち出しの管理を行うことができる。
【０００５】
請求項２は、前記サーバ装置は、前記建物入口リーダライタ、入口リーダライタ、及び保管棚リーダライタにより前記ＩＤカードから読み取られた夫々の保管棚利用希望者に関する個人認証情報を入場ＩＤ領域、入室ＩＤ領域、及び棚ＩＤ領域として記憶する記憶領域を有する個人認証情報格納手段を備え、前記入場ＩＤ領域、入室ＩＤ領域、及び棚ＩＤ領域に格納された個人認証情報の論理性が所定の条件を満足していた場合、前記制御装置に対して前記施開錠手段を開錠するように指示することを特徴とする。
サーバ装置が備えるメモリには、保管棚リーダライタ、入口リーダライタ、及び建物入口リーダライタにより読み取られた夫々の個人認証情報を、棚ＩＤ領域、入室ＩＤ領域、及び入場ＩＤ領域といった記憶領域を用意し、ここに順次記録していく。即ち、保管棚リーダライタと各入口に備えられたリーダライタから個人認証情報が読み取られたときはこれを記録する。そして保管棚の施開錠手段を開錠する条件は、このメモリの各領域に記録された個人認証情報の論理性が所定の条件を満足している場合である。
かかる発明によれば、サーバ装置は、建物入口リーダライタ、入口リーダライタ、及び保管棚リーダライタによりＩＤカードから読み取られた夫々の保管棚利用希望者に関する個人認証情報を入場ＩＤ領域、入室ＩＤ領域、及び棚ＩＤ領域として記憶する記憶領域を有する個人認証情報格納手段を備え、入場ＩＤ領域、入室ＩＤ領域、及び棚ＩＤ領域に格納された個人認証情報の論理性が所定の条件を満足していた場合、制御装置に対して施開錠手段を開錠するように指示するので、不正な使用者による保管棚の開錠を阻止することができる。
請求項３は、前記施開錠手段を開錠する所定の条件とは、前記建物入口リーダライタ、及び入口リーダライタにより読み取られたＩＤカード上の個人認証情報が既に前記入場ＩＤ領域、及び入室ＩＤ領域に記録され、且つ前記保管棚リーダライタにより読み取られた個人認証情報と、前記入場ＩＤ領域、及び入室ＩＤ領域に記録された個人認証情報とが全て一致する場合であることを特徴とする。
正規の使用者が保管棚を開ける場合は、必ず建物に入場し、その後部屋に入室してから保管棚を開ける手順である。即ち、保管棚リーダライタに個人認証情報が読み取られる場合は、必ず既に入室ＩＤ領域、及び入場ＩＤ領域に同一人の個人認証情報が記録されていなければならない。これが正しい論理性の条件の１つである。その条件を満足した上で、保管棚リーダライタにより読み取られた個人認証情報と一致した場合が全ての条件が揃ったときである。
かかる発明によれば、施開錠手段を開錠する所定の条件とは、建物入口リーダライタ、及び入口リーダライタにより読み取られたＩＤカード上の個人認証情報が既に入場ＩＤ領域、及び入室ＩＤ領域に記録され、且つ保管棚リーダライタにより読み取られた個人認証情報と、前記入場ＩＤ領域、及び入室ＩＤ領域に記録された個人認証情報とが全て一致する場合であるので、入場から入室、保管棚の開錠まで正規の同一人による操作であることを確認することができる。
【０００６】
請求項４は、前記サーバ装置は、前記同一人に係るＩＤカード上の個人認証情報が前記建物入口リーダライタ、入口リーダライタ、及び保管棚リーダライタにより読み取られた場合、当該個人認証情報を前記入場ＩＤ領域、入室ＩＤ領域、及び棚ＩＤ領域にそれぞれ記録し、当該個人認証情報が前記建物出口リーダライタにより読み取られた場合、当該個人認証情報が前記出口リーダライタにより読み取られた場合、及び前記保管棚に備えられた施開錠手段が施錠された場合、当該個人認証情報を前記入場ＩＤ領域、入室ＩＤ領域、及び棚ＩＤ領域から消去することを特徴とする。
サーバ装置の入場ＩＤ領域、入室ＩＤ領域、及び棚ＩＤ領域には、個人認証情報が建物入口リーダライタ、入口リーダライタ、及び保管棚リーダライタにより読み取られた場合、各領域にその個人認証情報を記録する。また、当該個人認証情報が建物出口リーダライタにより読み取られた場合には入場ＩＤ領域の情報を消去し、当該個人認証情報が前記出口リーダライタにより読み取られた場合には入室ＩＤ領域の情報を消去し、保管棚リーダライタに施開錠手段が施錠された場合には棚ＩＤ領域の情報を消去する。これにより、各領域の個人認証情報が記録されているか否かをチェックすれば、どのリーダライタを通過したか否かを検証することができる。
かかる発明によれば、サーバ装置は、同一人に係るＩＤカード上の個人認証情報が建物入口リーダライタ、入口リーダライタ、及び保管棚リーダライタにより読み取られた場合、当該個人認証情報を入場ＩＤ領域、入室ＩＤ領域、及び棚ＩＤ領域にそれぞれ記録し、当該個人認証情報が建物出口リーダライタにより読み取られた場合、当該個人認証情報が出口リーダライタにより読み取られた場合、及び保管棚に備えられた施開錠手段が施錠された場合、当該個人認証情報を入場ＩＤ領域、入室ＩＤ領域、及び棚ＩＤ領域から消去するので、どのリーダライタを通過したか否かを検証することができる。
【０００７】
請求項５は、前記サーバ装置は、ＩＤカードに記録された前記個人認証情報が前記出口リーダライタにより読み取られた場合、前記棚ＩＤ領域に記録されていた個人認証情報をチェックし、該チェックの結果、前記棚ＩＤ領域に記録されていた個人認証情報が消去されていない場合、前記保管棚に物品が返却されない状態のまま退室しようとしたものと判断して前記制御装置に対して警告音を発するように指示することを特徴とする。
保管棚には物品に付されたＩＤカードに記録された情報を読み取るためのアンテナが備えられている。それにより物品が保管棚にあるか否かを判断することができる。従って、正規に入室した使用者が物品を保管棚から取り出し、その物品を保管棚に戻さないまま退室しようとした場合、棚ＩＤ領域の個人認証情報が消去されていないので、論理性が成立せず制御装置に対して警告音を発するように指示することができる。
かかる発明によれば、サーバ装置は、ＩＤカードに記録された個人認証情報が出口リーダライタにより読み取られた場合、棚ＩＤ領域に記録されていた個人認証情報をチェックし、このチェックの結果、棚ＩＤ領域に記録されていた個人認証情報が消去されていない場合、保管棚に物品が返却されない状態のまま退室しようとしたものと判断して制御装置に対して警告音を発するように指示するので、退室者に対して物品を保管棚に戻すことを警告することができる。
【０００８】
請求項６は、前記サーバ装置は、前記入場ＩＤ領域、入室ＩＤ領域、及び棚ＩＤ領域に格納された個人認証情報の論理性が所定の条件を満足していない場合、前記制御装置に対して警告音を発するように指示することを特徴とする。
本発明の最も特徴的な点は、各ＩＤ領域の情報の論理性が正しいか否かをチェックすることである。従って、所定の論理性が成立しない場合は、不正な使用者による操作と見なして警告音を発し、保管棚の扉を開かないようにしたり、外部に連絡することができる。
かかる発明によれば、サーバ装置は、入場ＩＤ領域、入室ＩＤ領域、及び棚ＩＤ領域に格納された個人認証情報の論理性が所定の条件を満足していない場合、制御装置に対して警告音を発するように指示するので、不正侵入者を外部に連絡することができる。
請求項７は、前記ＩＤカードは、前記建物入口リーダライタ、入口リーダライタ、及び保管棚リーダライタにより読み取られた夫々の保管棚利用希望者に関する個人認証情報を入場ＩＤ領域、入室ＩＤ領域、及び棚ＩＤ領域として記憶する記憶領域を更に備え、前記制御装置は前記記憶領域に格納された個人認証情報の論理性が所定の条件を満足していたと判断した場合、前記施開錠手段を開錠することを特徴とする。
本発明は、ＩＤカードのメモリに入場ＩＤ領域、入室ＩＤ領域、及び棚ＩＤ領域の記憶領域を設けることにより、サーバ装置を必要とせず、制御装置が論理性を判断して、論理性が所定の条件を満足していたと判断した場合、施開錠手段を開錠するものである。これによりシステムの構成が簡略化され、システムコストを安くすることができる。
かかる発明によれば、ＩＤカードは、建物入口リーダライタ、入口リーダライタ、及び保管棚リーダライタにより読み取られた夫々の保管棚利用希望者に関する個人認証情報を入場ＩＤ領域、入室ＩＤ領域、及び棚ＩＤ領域として記憶する記憶領域を更に備え、制御装置はＩＤカードの記憶領域に格納された個人認証情報の論理性が所定の条件を満足していたと判断した場合、施開錠手段を開錠するので、システムの構成が簡略化され、システムコストを安くすることができる。
【発明の効果】
【０００９】
請求項１の発明によれば、建物の出入口、保管棚を設置する場所の出入口、及び保管棚にそれぞれリーダライタを備え、更に物品を保管する保管棚と、保管棚リーダライタを制御する制御装置と、制御装置に対して保管棚の扉に備えられた施開錠手段に対する開錠または施錠を指示するサーバ装置と、を備えたので、それぞれのリーダライタから読み取られたＩＤコードをサーバ装置が記録することにより、記録したＩＤサーバに基づいて保管棚の施開錠の制御と保管棚に収納されている物品持ち出しの管理を行うことができる。
また請求項２では、サーバ装置は、建物入口リーダライタ、入口リーダライタ、及び保管棚リーダライタによりＩＤカードから読み取られた夫々の保管棚利用希望者に関する個人認証情報を入場ＩＤ領域、入室ＩＤ領域、及び棚ＩＤ領域として記憶する記憶領域を有する個人認証情報格納手段を備え、入場ＩＤ領域、入室ＩＤ領域、及び棚ＩＤ領域に格納された個人認証情報の論理性が所定の条件を満足していた場合、制御装置に対して施開錠手段を開錠するように指示するので、不正な使用者による保管棚の開錠を阻止することができる。
また請求項３では、施開錠手段を開錠する所定の条件とは、建物入口リーダライタ、及び入口リーダライタにより読み取られたＩＤカード上の個人認証情報が既に入場ＩＤ領域、及び入室ＩＤ領域に記録され、且つ保管棚リーダライタにより読み取られた個人認証情報と、前記入場ＩＤ領域、及び入室ＩＤ領域に記録された個人認証情報とが全て一致する場合であるので、入場から入室、保管棚の開錠まで正規の同一人による操作であることを確認することができる。
また請求項４では、サーバ装置は、同一人に係るＩＤカード上の個人認証情報が建物入口リーダライタ、入口リーダライタ、及び保管棚リーダライタにより読み取られた場合、当該個人認証情報を入場ＩＤ領域、入室ＩＤ領域、及び棚ＩＤ領域にそれぞれ記録し、当該個人認証情報が建物出口リーダライタにより読み取られた場合、当該個人認証情報が出口リーダライタにより読み取られた場合、及び保管棚に備えられた施開錠手段が施錠された場合、当該個人認証情報を入場ＩＤ領域、入室ＩＤ領域、及び棚ＩＤ領域から消去するので、どのリーダライタを通過したか否かを検証することができる。
また請求項５では、サーバ装置は、ＩＤカードに記録された個人認証情報が出口リーダライタにより読み取られた場合、棚ＩＤ領域に記録されていた個人認証情報をチェックし、このチェックの結果、棚ＩＤ領域に記録されていた個人認証情報が消去されていない場合、保管棚に物品が返却されない状態のまま退室しようとしたものと判断して制御装置に対して警告音を発するように指示するので、退室者に対して物品を保管棚に戻すことを警告することができる。
また請求項６では、サーバ装置は、入場ＩＤ領域、入室ＩＤ領域、及び棚ＩＤ領域に格納された個人認証情報の論理性が所定の条件を満足していない場合、制御装置に対して警告音を発するように指示するので、不正侵入者を外部に連絡することができる。
また請求項７では、ＩＤカードは、建物入口リーダライタ、入口リーダライタ、及び保管棚リーダライタにより読み取られた夫々の保管棚利用希望者に関する個人認証情報を入場ＩＤ領域、入室ＩＤ領域、及び棚ＩＤ領域として記憶する記憶領域を更に備え、制御装置はＩＤカードの記憶領域に格納された個人認証情報の論理性が所定の条件を満足していたと判断した場合、施開錠手段を開錠するので、システムの構成が簡略化され、システムコストを安くすることができる。
【発明を実施するための最良の形態】
【００１０】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
図１は、一般的なＩＤカード用リーダライタの構成を示すブロック図である。このＩＤカード用リーダライタ１００は、外部にありリーダライタ１００に対してデータの授受を行ってシステム全体を制御するコンピュータ（上位機器）５０と、外部のコンピュータ５０とのデータの通信プロトコルを司る送受信装置１と、リーダライタ１００全体の動作を制御する制御装置２と、制御装置２を動作させる手順を記憶したファームウェアと読み取ったデータを格納するメモリ装置３と、制御装置２からのデータを搬送波に乗せて変調する変調器４と、操作コマンドを入力する入力装置５と、制御装置２により制御された情報を表示する表示装置６と、制御装置２からの交流信号である電力供給用信号と変調器４からの書き込みコマンドを電力増幅する電力増幅器７と、ループアンテナ９から受信した搬送波から２値化データに変換する検波復調器８と、図示しないＩＤカードとの電力用搬送波とデータの授受をするループアンテナ９とを備えて構成されている。
次に、本構成によるリーダライタ１００の動作を説明する前に、対を成すＩＤカードの構成を先に説明しておく。図２は、一般的なＩＤカードの構成を示すブロック図である。本実施形態のＩＤカード２００は、リーダライタ１００からの電力用搬送波によりデータの授受をするループアンテナ２０と、書き込みコマンド読み出しコマンドを生成する送受信回路２１と、ループアンテナ２０からの電力用搬送波を受け、それを整流して直流電力に変換する電力生成回路２２と、制御用ファームウェアとデータの記憶を司るメモリ装置２３と、制御回路２６からの送信コマンドに搬送波を乗せて変調する変調器２４と、送受信回路２１からの搬送波データから２値化データに変換する検波器２５と、ＩＤカード２００の全体の動作を制御する制御回路２６と、を備えて構成されている。
【００１１】
次に、図１と図２を併せて参照してそれぞれ単独の動作について説明する。リーダライタ１００は、図示しない電源が入れられると制御装置２のイニシャル動作後、メモリ装置３に記憶されたプログラムに従い動作を開始する。まず、初期化が行われる。次に、制御装置２は、ＩＤカード２００に供給する電力供給用信号と、ポーリング信号を交互に電力増幅器７から送信する。その信号は、ループアンテナ９から電磁波として外部に放射される。次に、ＩＤカード２００がリーダライタ１００に近接すると、ループアンテナ２０が電力供給用信号を受信し、電力生成回路２２によりその搬送波を整流して直流電力に変換して、ＩＤカード内の全ての回路に供給する。電力を供給されて制御回路２６が駆動すると、メモリ装置２３に格納されたプログラムに従って、制御を開始する。
次に、制御回路２６は、まず送受信回路２１からコマンドを検波器２５で復調して２値化信号に変換し、そのコマンドを解析する。その結果自分が呼び出されていることを認識すると、レスポンスを変調器２４により変調して送受信回路２１を介してループアンテナ２０から送信する。このレスポンスをリーダライタ１００がループアンテナ９で受信して、検波復調器８で２値化コードに変換し、制御回路２により解析してＩＤカード２００が規格に合致したＩＤカードであると認識する。それにより、以後リーダライタ１００とＩＤカード２００の間でポーリングが行われる。
【００１２】
図３は本発明の実施形態に係る物品管理システムの一例を表す構成図である。本実施形態では、機密書類を管理する例について説明する。この物品管理システム３００は、機密書類を保管する保管棚４０と、個人認証情報が記録されたＩＤカードに対して個人認証情報の読み書きを行う保管棚リーダライタ３８と、この保管棚リーダライタ３８を制御するパーソナルコンピュータ（以下、ＰＣと記す）（制御装置）３９と、ＰＣ３９に対して保管棚４０の扉に備えられた施開錠手段に対する開錠または施錠を指示するサーバ装置４１と、少なくとも保管棚４０を収容する部屋４２の出入口に備えられ、図示しないＩＤカードに対して個人認証情報の読み書きを行う入口リーダライタ３５と、出口リーダライタ３７と、少なくとも部屋４２を含む建造物の出入口に備えられ図示しないＩＤカードに対して個人認証情報の読み書きを行う建物入口リーダライタ３２と、建物出口リーダライタ３３と、各リーダライタ、保管棚４０、及びサーバ装置４１とを接続するＬＡＮ３０と、を備えて構成される。
尚、部屋４２は扉３６により外部と遮断され、ＩＤカードにより認証された者以外は入出できない構造でも良いし、人間が近づくと自動的に扉３６が開閉する構造でもよく、セキュリティレベルにより決定される。また、建物入口リーダライタ３２と、建物出口リーダライタ３３は、ゲート３１の上面に備えられ、ゲート３１を入出する際にＩＤカードをリーダライタに近接することにより、図示しない扉が開閉する構造でも良いし、扉はないがＩＤカードをリーダライタに近接しない場合はアラームを発する構成でも良い。また、扉３６と同様の扉であっても良い。
【００１３】
次に図３の物品管理システム３００の概略動作について説明する。予め認証された使用者に対して個人認証情報（例えば、ＩＤコード）が記録されたＩＤカードを貸与しておく。ＩＤカードを所持する使用者は建物のゲート３１に備えられた建物入口リーダライタ３２にそのＩＤカードを近接すると、ＩＤコードが読み取られてＬＡＮ３０を介してサーバ装置４１に伝えられる。サーバ装置４１がそのＩＤコードを正規のコードであると認証すると、論理性チェックデータベース（以下、論理性チェックＤＢと記す）の入場ＩＤ領域にＩＤコードを記憶すると共に、ゲート３１の扉を開く。使用者は館内に入門して機密書類を閲覧するために部屋４２の入口に行き、入口リーダライタ３５にＩＤカードを近接する。サーバ装置４１がそのＩＤコードを正規のコードであると認証すると、論理性チェックＤＢの入室ＩＤ領域にＩＤコードを記憶すると共に扉３６を開く。そして部屋４２に入室した使用者は、次に保管棚リーダライタ３８にＩＤカードを近接する。サーバ装置４１がそのＩＤコードを正規のコードであると認証すると、論理性チェックＤＢの棚ＩＤ領域にＩＤコードを記憶すると共に、論理性のチェックを行って（詳細は後述する）、正しい論理性であれば保管棚４０の扉を開錠する。そして、使用者は保管棚４０の中から必要な書類を取り出し閲覧する。書類にはＲＦＩＤタグが付されており、保管棚４０から取り出されたことをＰＣ３９により認識することができる。
使用者が閲覧を終了して書類を保管棚４０に戻し扉を閉めると、論理性チェックＤＢの棚ＩＤ領域に記録されたＩＤコードを消去して扉を施錠する。使用者は部屋４２を退室するためにＩＤカードを出口リーダライタ３７に近接する。サーバ装置４１がそのＩＤコードを正規のコードであると認証すると、論理性チェックＤＢの入室ＩＤ領域に記録されたＩＤコードを消去すると共に、論理性のチェックを行って、正しい論理性であれば扉３６を開く。そして建物のゲート３１に備えられた建物出口リーダライタ３３にそのＩＤカードを近接すると、ＩＤコードが読み取られてＬＡＮ３０を介してサーバ装置４１に伝えられる。サーバ装置４１がそのＩＤコードを正規のコードであると認証すると、論理性チェックＤＢの入場ＩＤ領域に記録されたＩＤコードを消去すると共に、ゲート３１の扉を開ける。
このように、本発明の特徴は、建物のゲート３１、部屋４２の出入口、及び保管棚４０にそれぞれリーダライタを備え、それぞれのリーダライタから読み取られたＩＤコードをサーバ装置４１が論理性チェックＤＢに記録することにより、記録したＩＤコードに基づいて保管棚４０の施開錠の制御と保管棚４０に収納されている物品持ち出しの管理を行うものである。
【００１４】
図４は各ケースにおける各リーダライタの動作に対する論理性チェックＤＢの記録内容の推移を表す図である。図４では横軸には各ケースの番号、推移を表す時間（Ｔ）、入場（リーダライタ３２）、退場（リーダライタ３３）、入室（リーダライタ３５）、退室（リーダライタ３７）、棚出（リーダライタ３８）、棚入、論理性チェックＤＢ５３の記憶領域として入場ＩＤ領域５０、入室ＩＤ領域５１、棚ＩＤ領域５２、備考を表している。尚、ケース１は正規の使用者が正規の手順で機密書類を閲覧した場合であり、ケース２は正規の使用者が機密書類を保管棚４０に戻さずに退室しようとした場合であり、ケース３は正規の使用者が正規の手順で入退室して、再び同じ使用者が入室して正規の手順で退室した場合であり、ケース４は不正な使用者が建物に正規の方法で入場せずに入室して保管棚４０を開錠しようとした場合であり、ケース５は不正な使用者が入場して部屋４２に正規の方法で入室せずに機密書類を持ち出そうとした場合である。更にケース６は不正な使用者が建物に正規の方法で入場せず、且つ部屋４２に正規の方法で入室せずに保管棚４０を開錠しようとした場合である。
【００１５】
次に各ケースごとに図４を参照して詳細に説明する。尚、使用者ＡのＩＤコードを「ａａａ」とし、以下、Ｂを「ｂｂｂ」、Ｃを「ｃｃｃ」、Ｄを「ｄｄｄ」、Ｅを「ｅｅｅ」、Ｆを「ｆｆｆ」とする。ケース１では、時間Ｔ１において使用者Ａが入場するためにリーダライタ３２にＩＤカードを近接すると、入場ＩＤ領域５０にＩＤコード「ａａａ」が記録される。次の時間Ｔ２において、使用者Ａが部屋４２に入室するためにリーダライタ３５にＩＤカードを近接すると、入室ＩＤ領域５１にＩＤコード「ａａａ」が記録される。次の時間Ｔ３において、使用者Ａが部屋４２内の保管棚４０の扉を開錠するためにリーダライタ３８にＩＤカードを近接すると、棚ＩＤ領域５２にＩＤコード「ａａａ」が記録される。ここで、サーバ装置４１は入場ＩＤ領域５０、入室ＩＤ領域５１、及び棚ＩＤ領域５２の全てに同じＩＤコード「ａａａ」が記録されていることを確認して保管棚４０の扉を開錠する（論理性のチェック）。ここで保管棚４０の扉を開錠する論理性は、入室ＩＤ領域５１、及び棚ＩＤ領域５２の全てに同じＩＤコード「ａａａ」が記録されていることである。
使用者Ａは保管棚４０の扉が開錠すると、中から自分が見たい機密書類を取り出し閲覧する。書類にはＲＦＩＤタグが付されており、保管棚４０から取り出されたことをＰＣ３９が認識することができる。そして時間Ｔ４において閲覧後その機密書類を保管棚４０に戻して扉を閉めると、ＰＣ３９がそれを検出して扉を施錠する。この施錠動作により棚ＩＤ領域５２に記録されているＩＤコード「ａａａ」を消去する。次に時間Ｔ５において使用者Ａが部屋４２から退室するためにＩＤカードをリーダライタ３７に近接すると、棚ＩＤ領域５２のＩＤコード「ａａａ」が消去されているのを確認した後、入室ＩＤ領域５１に記録されているＩＤコード「ａａａ」を消去し、部屋４２の扉３６を開錠する。ここで部屋４２の扉３６を開放する論理性は、入室ＩＤ領域５１、及び棚ＩＤ領域５２に記録されているＩＤコード「ａａａ」が両方消去されていることである。
最後に時間Ｔ６において使用者Ａが建物から退場するためにＩＤカードをリーダライタ３３に近接すると、入場ＩＤ領域５０に記録されているＩＤコード「ａａａ」を消去し、通過を許可する。この段階で論理性チェックＤＢ５３の記憶領域にはＩＤコード「ａａａ」が全て消去され、正規に手順が終了したことがわかる。
【００１６】
ケース２では、時間Ｔ１において使用者Ｂが入場するためにリーダライタ３２にＩＤカードを近接すると、入場ＩＤ領域５０にＩＤコード「ｂｂｂ」が記録される。次の時間Ｔ２において、使用者Ｂが部屋４２に入室するためにリーダライタ３５にＩＤカードを近接すると、入室ＩＤ領域５１にＩＤコード「ｂｂｂ」が記録される。次の時間Ｔ３において、使用者Ｂが部屋４２内の保管棚４０の扉を開錠するためにリーダライタ３８にＩＤカードを近接すると、棚ＩＤ領域５２にＩＤコード「ｂｂｂ」が記録される。ここで、サーバ装置４１は入場ＩＤ領域５０、入室ＩＤ領域５１、及び棚ＩＤ領域５２の全てに同じＩＤコード「ｂｂｂ」が記録されていることを確認して保管棚４０の扉を開錠する。
使用者Ｂは保管棚４０の扉が開錠すると、中から自分が見たい機密書類を取り出し閲覧する。書類にはＲＦＩＤタグが付されており、保管棚４０から取り出されたことをＰＣ３９が認識することができる。そして時間Ｔ４において閲覧後その機密書類を保管棚４０に戻さないまま部屋４２から退室しようとしてＩＤカードをリーダライタ３７に近接すると、棚ＩＤ領域５２のＩＤコード「ｂｂｂ」が消去されていないので、サーバ装置４１は機密書類が保管棚４０に戻されていないと判断して、扉３６を開錠せずに警報を発生する。使用者Ｂはその警報により時間Ｔ５においてその機密書類を保管棚４０に戻して扉を閉めると、ＰＣ３９がそれを検出して扉を施錠する。この施錠動作により棚ＩＤ領域５２に記録されているＩＤコード「ｂｂｂ」を消去する。次に時間Ｔ６において使用者Ｂが部屋４２から退室するためにＩＤカードをリーダライタ３７に近接すると、棚ＩＤ領域５２のＩＤコード「ｂｂｂ」が消去されているのを確認した後、入室ＩＤ領域５１に記録されているＩＤコード「ｂｂｂ」を消去し、開錠する。最後に時間Ｔ７において使用者Ｂが建物から退場するためにＩＤカードをリーダライタ３３に近接すると、入場ＩＤ領域５０に記録されているＩＤコード「ｂｂｂ」を消去し、通過を許可する。この段階で論理性チェックＤＢ５３の記憶領域にはＩＤコード「ｂｂｂ」が全て消去され、正規に手順が終了したことがわかる。
【００１７】
ケース３では、時間Ｔ１において使用者Ｃが入場するためにリーダライタ３２にＩＤカードを近接すると、入場ＩＤ領域５０にＩＤコード「ｃｃｃ」が記録される。次の時間Ｔ２において、使用者Ｃが部屋４２に入室するためにリーダライタ３５にＩＤカードを近接すると、入室ＩＤ領域５１にＩＤコード「ｃｃｃ」が記録される。次の時間Ｔ３において、使用者Ｃが部屋４２内の保管棚４０の扉を開錠するためにリーダライタ３８にＩＤカードを近接すると、棚ＩＤ領域５２にＩＤコード「ｃｃｃ」が記録される。ここで、サーバ装置４１は入場ＩＤ領域５０、入室ＩＤ領域５１、及び棚ＩＤ領域５２の全てに同じＩＤコード「ｃｃｃ」が記録されていることを確認して保管棚４０の扉を開錠する。
使用者Ｃは保管棚４０の扉が開錠すると、中から自分が見たい機密書類を取り出し閲覧する。書類にはＲＦＩＤタグが付されており、保管棚４０から取り出されたことをＰＣ３９が認識することができる。
そして時間Ｔ４において閲覧後その機密書類を保管棚４０に戻して扉を閉めると、ＰＣ３９がそれを検出して扉を施錠する。この施錠動作により棚ＩＤ領域５２に記録されているＩＤコード「ｃｃｃ」を消去する。次に時間Ｔ５において使用者Ｃが部屋４２から退室するためにＩＤカードをリーダライタ３７に近接すると、棚ＩＤ領域５２のＩＤコード「ｃｃｃ」が消去されているのを確認した後、入室ＩＤ領域５１に記録されているＩＤコード「ｃｃｃ」を消去し、扉３６を開錠する。
次に時間Ｔ６において使用者Ｃが退場しないまま部屋４２に再入室するために、リーダライタ３５にＩＤカードを近接すると、入室ＩＤ領域５１にＩＤコード「ｃｃｃ」が再び記録される。次の時間Ｔ７において、使用者Ｃが部屋４２内の保管棚４０の扉を開錠するためにリーダライタ３８にＩＤカードを近接すると、棚ＩＤ領域５２にＩＤコード「ｃｃｃ」が記録される。ここで、サーバ装置４１は入場ＩＤ領域５０、入室ＩＤ領域５１、及び棚ＩＤ領域５２の全てに同じＩＤコード「ｃｃｃ」が記録されていることを確認して保管棚４０の扉を開錠する。使用者Ｃは保管棚４０の扉が開錠すると、中から自分が見たい機密書類を取り出し閲覧する。書類にはＲＦＩＤタグが付されており、保管棚４０から取り出されたことをＰＣ３９が認識することができる。
そして時間Ｔ８において閲覧後その機密書類を保管棚４０に戻して扉を閉めると、ＰＣ３９がそれを検出して扉を施錠する。この施錠動作により棚ＩＤ領域５２に記録されているＩＤコード「ｃｃｃ」を消去する。次に時間Ｔ９において使用者Ｃが部屋４２から退室するためにＩＤカードをリーダライタ３７に近接すると、棚ＩＤ領域５２のＩＤコード「ｃｃｃ」が消去されているのを確認した後、入室ＩＤ領域５１に記録されているＩＤコード「ｃｃｃ」を消去し、扉３６を開錠する。最後に時間Ｔ１０において使用者Ｃが建物から退場するためにＩＤカードをリーダライタ３３に近接すると、入場ＩＤ領域５０に記録されているＩＤコード「ｃｃｃ」を消去し、通過を許可する。この段階で論理性チェックＤＢ５３の記憶領域にはＩＤコード「ｃｃｃ」が全て消去され、正規に手順が終了したことがわかる。
【００１８】
ケース４では、時間Ｔ１において使用者Ｄが部屋４２に入室するためにリーダライタ３５にＩＤカードを近接すると、入室ＩＤ領域５１にＩＤコード「ｄｄｄ」が記録される。次の時間Ｔ２において、使用者Ｄが部屋４２内の保管棚４０の扉を開錠するためにリーダライタ３８にＩＤカードを近接すると、サーバ装置４１は入場ＩＤ領域５０に同じＩＤコード「ｄｄｄ」が記録されていないことを確認して警報を発し保管棚４０の扉を開錠しないようにする。このケースの場合は、不正な使用者が何らかの方法で他人のＩＤカードを取得し、就業後にゲート３１を通過しないで部屋４２に侵入して機密書類を持ち出そうとした場合が考えられる。本実施形態では、サーバ装置４１が論理性チェックＤＢ５３の記録内容をチェックすることにより、入場ＩＤ領域５０にＩＤコード「ｄｄｄ」が記録されていないことを発見して、不正な使用者であると見分けることができる。尚、この場合、扉３６を開錠しない制御方法も考えられる。
ケース５では、時間Ｔ１において不正な使用者Ｅが何らかの手段で他人のＩＤカードを取得して入場してリーダライタ３２にＩＤカードを近接すると、入場ＩＤ領域５０にＩＤコード「ｅｅｅ」が記録される。次の時間Ｔ２において、部屋４２内の保管棚４０の扉を開錠するためにリーダライタ３８にＩＤカードを近接すると、サーバ装置４１は入室ＩＤ領域５１にＩＤコード「ｅｅｅ」が記録されていないことを発見して、不正な使用者であると見分けることができる。
ケース６では、時間Ｔ１において不正な使用者Ｆが何らかの手段で他人のＩＤカードを取得して入場し、更に入室して部屋４２内の保管棚４０の扉を開錠するためにリーダライタ３８にＩＤカードを近接すると、サーバ装置４１は入場ＩＤ領域５０と入室ＩＤ領域５１にＩＤコード「ｆｆｆ」が記録されていないことを発見して、不正な使用者であると見分けることができる。
本説明では論理性のチェックを地点通過のみで行なっているが、例えば、建物の入場から部屋への入室までに制限時間を設ける、単なるリーダライタだけでなく生体情報を組み合わせる等のチェックを追加することでシステムの使用をより厳格にすることが可能である。
【００１９】
図５は本発明の物品管理システム３００の動作について詳細に説明するフローチャートである。予め認証された使用者に対して個人認証情報（例えば、ＩＤコード）が記録されたＩＤカードを貸与しておく。ＩＤカードを所持する使用者は建物のゲート３１に備えられた建物入口リーダライタ３２にそのＩＤカードを近接すると（Ｓ１でＹＥＳのルート）、ＩＤコードが読み取られてＬＡＮ３０を介してサーバ装置４１に伝えられる。サーバ装置４１は初めて入場したか否かをチェックするために、そのＩＤコードが既に読み込まれているか否かをチェックして、初めて読み込まれた正規のＩＤコードであると認証すると、論理性チェックＤＢ５３の入場ＩＤ領域５０にＩＤコードを記録すると共に（Ｓ２）、ゲート３１の扉を開く。使用者は館内に入門して機密書類を閲覧するために部屋４２の入口に行き、入口リーダライタ３５にＩＤカードを近接すると（Ｓ３でＹＥＳのルート）、サーバ装置４１は初めて入室したか否かをチェックするために、そのＩＤコードが既に読み込まれているか否かをチェックして、初めて読み込まれた正規のＩＤコードであると認証すると、論理性チェックＤＢ５３の入室ＩＤ領域５１にＩＤコードを記憶すると共に（Ｓ４）、扉３６を開く。そして部屋４２に入室した使用者は、次に保管棚リーダライタ３８にＩＤカードを近接すると（Ｓ５でＹＥＳのルート）、サーバ装置４１はそのＩＤコードを正規のコードであると認証すると、入場ＩＤ領域５０、入室ＩＤ領域５１に同じＩＤコードが記録されているかをチェックし（Ｓ６）、同じであれば（Ｓ６でＹＥＳのルート）、論理性チェックＤＢ５３の棚ＩＤ領域５２にＩＤコードを記憶すると共に（Ｓ７）、保管棚４０の扉を開錠する（Ｓ８）。そして、使用者は保管棚４０の中から必要な書類を取り出し閲覧する。書類にはＲＦＩＤタグが付されており、保管棚４０から書類を取り出したか否かをチェックすることができる（Ｓ９）。保管棚４０から書類が取り出されると（Ｓ９でＹＥＳのルート）、ＰＣ３９のメモリに書類ＩＤを記録して（Ｓ１０）、保管棚４０の扉が閉鎖されたか否かを監視する（Ｓ２５）。扉の閉鎖を監視する場合は所定の時間監視することにより行い、タイムオーバになった場合（Ｓ２９でＹＥＳのルート）、警告音を発生する（Ｓ３０）。ステップＳ２５において保管棚４０の扉が閉鎖されると（Ｓ２５でＹＥＳのルート）、保管棚４０の扉を一旦施錠する（Ｓ２６）。そして、利用者が機密書類の閲覧を終了して保管棚４０に書類を戻すために保管棚リーダライタ３８にＩＤカードを近接すると（Ｓ２７でＹＥＳのルート）、サーバ装置４１は保管棚４０の扉を開錠する（Ｓ２８）。そして再び書類が保管棚４０に戻されたか否かを監視する（Ｓ１１）。そしてステップＳ１１において書類が保管棚４０に戻されると（Ｓ１１でＹＥＳのルート）、書類ＩＤを消去して（Ｓ１２）、保管棚４０の扉が閉鎖されたか否かを監視する（Ｓ１３）。扉の閉鎖を監視する場合は所定の時間監視することにより行い、タイムオーバになった場合（Ｓ２２でＹＥＳのルート）、警告音を発生する（Ｓ２３）。
【００２０】
ステップＳ１３において保管棚４０の扉が閉鎖されると（Ｓ１３でＹＥＳのルート）、棚ＩＤ領域５２に記録されているＩＤコードを消去して（Ｓ１４）、保管棚４０の扉を施錠する（Ｓ１５）。その後、使用者は部屋４２を退室するためにＩＤカードを出口リーダライタ３７に近接する（Ｓ１６でＹＥＳのルート）。サーバ装置４１がそのＩＤコードを正規のコードであると認証すると、棚ＩＤ領域５２に記録されたＩＤコードが消去されているか否かをチェックして（Ｓ１８でＹＥＳのルート）、入室ＩＤ領域５１に記録されたＩＤコードを消去し（Ｓ１７）、部屋４２の扉３６を開く（Ｓ１９）。そして建物のゲート３１に備えられた建物出口リーダライタ３３にそのＩＤカードを近接すると（Ｓ２０でＹＥＳのルート）、ＩＤコードが読み取られてＬＡＮ３０を介してサーバ装置４１に伝えられる。サーバ装置４１がそのＩＤコードを正規のコードであると認証すると、入場ＩＤ領域５０に記録されたＩＤコードを消去すると共に、ゲート３１の扉を開ける。
【００２１】
以上のステップが正常に操作された場合のステップであるが、ステップＳ６において、入場ＩＤ領域５０、入室ＩＤ領域５１に同じＩＤコードが記録されていない場合（Ｓ６でＮＯのルート）、アラームを発生して保管棚４０の扉を閉鎖する（Ｓ２４）。ステップＳ９において、保管棚４０の扉を開錠後、保管棚４０から書類を取り出してステップＳ１１により書類を戻さないまま（Ｓ１１でＮＯのルート）ステップＳ１６において部屋４２を退室するためにＩＤカードを出口リーダライタ３７に近接すると（Ｓ１６でＹＥＳのルート）、棚ＩＤ領域５２に記録されたＩＤコードが消去されていないため、ステップＳ１８においてＮＯのルートになり、部屋４２の扉３６は閉鎖されたままである。そして、ステップＳ１１において書類が保管棚４０に戻されることにより（Ｓ１１でＹＥＳのルート）、ステップＳ１４により棚ＩＤ領域５２に記録されたＩＤコードが消去されて退室することができる。
【図面の簡単な説明】
【００２２】
【図１】一般的なＩＤカード用リーダライタの構成を示すブロック図である。
【図２】一般的なＩＤカードの構成を示すブロック図である。
【図３】本発明の実施形態に係る物品管理システムの一例を表す構成図である。
【図４】本発明の各ケースにおける各リーダライタの動作に対する論理性チェックＤＢの記録内容の推移を表す図である。
【図５】本発明の物品管理システム３００の動作について詳細に説明するフローチャートである。
【符号の説明】
【００２３】
３０  ＬＡＮ、３１  ゲート、３２  建物入口リーダライタ、３３  建物出口リーダライタ、３５  入口リーダライタ、３６  扉、３７  出口リーダライタ、３８  保管棚リーダライタ、３９  ＰＣ、４０  保管棚、４１  サーバ装置
【図１】
2005301331.tif 000003
【図２】
2005301331.tif 000004
【図３】
2005301331.tif 000005
【図４】
2005301331.tif 000006
【図５】
2005301331.tif 000007